(57)【要約】【課題】使い捨ておむつを着用する際、おむつ内部の水蒸気が外部に排出されやすい使い捨ておむつを提供する。【解決手段】使い捨ておむつ本体の外面側にフロンタルテープを接合してなる使い捨ておむつであって、フロンタルテープと使い捨ておむつ本体との接合箇所が、使い捨ておむつの幅方向に沿った断続的な線状パターンで設けられることにより、前記接合箇所が使い捨ておむつの幅方向および長手方向に沿って断続的に設けられ、フロンタルテープと使い捨ておむつ本体との間に外部に連通する通気道が形成されている。【選択図】図１
2012210482.tif 000002
【特許請求の範囲】
【請求項１】
使い捨ておむつ本体の外面側にフロンタルテープを接合してなる使い捨ておむつであって、
フロンタルテープと使い捨ておむつ本体との接合箇所が、使い捨ておむつの幅方向に沿った断続的な線状パターンで設けられることにより、前記接合箇所が使い捨ておむつの幅方向および長手方向に沿って断続的に設けられ、フロンタルテープと使い捨ておむつ本体との間に外部に連通する通気道が形成されていることを特徴とする使い捨ておむつ。
【請求項２】
前記フロンタルテープが、ゴム系のホットメルト接着剤により前記使い捨ておむつの外面側に接合されている請求項１に記載の使い捨ておむつ。
【請求項３】
フロンタルテープと使い捨ておむつ本体との接合箇所が、さらに、長手方向に沿った断続的な線状パターンで設けられる請求項１または２に記載の使い捨ておむつ。
【発明の詳細な説明】
【技術分野】
【０００１】
本発明は、フロンタルテープを備えた使い捨ておむつに関するものである。
【背景技術】
【０００２】
従来、フロンタルテープを備えた使い捨ておむつが知られている。しかし、フロンタルテープを備えた使い捨ておむつは、フロンタルテープが設けられた部分での水蒸気透過性が不十分なために、おむつ着用の際におむつ内部の湿度が上昇し、肌のかゆみや、カブレ等の肌荒れを起こす場合がある。フロンタルテープが設けられた部分での水蒸気透過性を確保するために、特許文献１には、水蒸気透過性のバックシート上に水蒸気透過性のフロンタルテープを貼り付けた使い捨ておむつが開示されている。
【先行技術文献】
【特許文献】
【０００３】
【特許文献１】特開２００４−１６７０２６号公報
【発明の概要】
【発明が解決しようとする課題】
【０００４】
おむつ内部の水蒸気を外部に排出するためには、水蒸気を多方向に排出することが有効である。本発明は前記事情に鑑みてなされたものであり、その目的は、使い捨ておむつを着用する際、おむつ内部の水蒸気が外部に排出されやすい使い捨ておむつを提供することにある。
【課題を解決するための手段】
【０００５】
前記課題を解決することができた本発明の使い捨ておむつとは、使い捨ておむつ本体の外面側にフロンタルテープを接合してなる使い捨ておむつであって、フロンタルテープと使い捨ておむつ本体との接合箇所が使い捨ておむつの幅方向および長手方向に沿って断続的に設けられることにより、フロンタルテープと使い捨ておむつ本体との間に連通する通気道が形成されているところに特徴を有する。さらに、フロンタルテープと使い捨ておむつ本体との接合箇所は、使い捨ておむつの幅方向および／または長手方向に沿った断続的な線状パターンで設けられることが好ましい。本発明の使い捨ておむつは、前記構成により、フロンタルテープと使い捨ておむつ本体との間に形成される通気道を通って、おむつ内部の水蒸気が外部へ排出されるようになる。その結果、おむつ着用の際のおむつ内部の湿度上昇を効果的に抑え、肌のかゆみや、カブレなどの肌荒れを防止しやすくなる。
【０００６】
本発明の使い捨ておむつは、使い捨ておむつ本体が液不透過性のシートを最外面に有する積層体で構成され、液不透過性のシートが水蒸気透過性であることが好ましい。また、前記液不透過性のシートの水蒸気透過度が５００ｇ／（ｍ2・２４ｈｒ）〜１０，０００ｇ／（ｍ2・２４ｈｒ）であることが好ましい。前記液不透過性のシートの水蒸気透過性が向上することで、着用時におむつ内部の水蒸気がバックシートを通過しやすくなり、その結果、水蒸気が速やかに外部に排出されやすくなる。
【発明の効果】
【０００７】
本発明の使い捨ておむつは、おむつ着用の際、おむつ内部の水蒸気を外部に排出することができる。
【図面の簡単な説明】
【０００８】
【図１】（ａ）は、フロンタルテープと使い捨ておむつ本体との接合箇所の接合パターンの一例であり、（ｂ）は（ａ）のＡ−Ａ断面図、（ｃ）は（ａ）のＢ−Ｂ断面図である。
【図２】フロンタルテープと使い捨ておむつ本体との接合箇所の接合パターンの例である。
【図３】本発明の使い捨ておむつの一例である。
【図４】図３におけるＣ−Ｃ断面図である。
【発明を実施するための形態】
【０００９】
本発明の使い捨ておむつは、使い捨ておむつ本体の外面側にフロンタルテープを接合してなるものである。
【００１０】
使い捨ておむつ本体は、液不透過性のシートを最外面に有する積層体で構成されることが好ましい。本発明において外面とは、使い捨ておむつを着用した際に着用者に向く側と反対側の面、すなわち外方に向く面を意味する。
【００１１】
使い捨ておむつ本体としては、例えば、液透過性のトップシートと液不透過性のバックシートとの間に吸水性コアが挟み込まれた積層体で構成されるものが示される。このとき、液不透過性のバックシートは、前記積層体の最外面に位置していることが好ましい。
【００１２】
また、使い捨ておむつ本体は、液透過性の内面シートと液不透過性の外面シートとの積層体（外装パンツ部材）の着用者側の面に、吸収性本体が取り付けられているものであってもよい。このとき、吸収性本体としては、液透過性のトップシートと液不透過性のバックシートとの間に吸水性コアが挟み込まれたものが例示される。また、液不透過性の外面シートは、前記積層体の最外面に位置していることが好ましい。
【００１３】
吸収性コアは、尿等の排泄物を吸収できるものであれば特に限定されず、吸水性樹脂を含んでいることが好ましい。吸収性コアは、例えば、粉砕したパルプ繊維やセルロース繊維等の親水性繊維集合層に粒状の吸水性樹脂を混合した塊を、ティッシュペーパーなどの紙シートまたは液透過性不織布シート等の被覆シートで包み、長方形、砂時計型、ひょうたん型、羽子板型等の所定形状に成形することにより得られる。
【００１４】
使い捨ておむつ本体は、前腹部と後背部とこれらの間に位置する股部とから形成されることが好ましい。なお、前腹部、後背部、股部とは、使い捨ておむつを着用の際に、着用者の腹側に当てる部分を前腹部と称し、着用者の尻側に当てる部分を後背部と称し、前腹部と後背部との間に位置し着用者の股間に当てる部分を股部と称する。
【００１５】
使い捨ておむつ本体には、前腹部の左側端部、前腹部の右側端部、後背部の左側端部、および後背部の右側端部よりなる群から選ばれる少なくとも１ヶ所に、止着テープが取り付けられることが好ましい。より好ましくは、前腹部の左側端部と右側端部とに、または後背部の左側端部と右側端部とに、一対の止着テープが取り付けられる。
【００１６】
フロンタルテープは、前記止着テープと係合可能な部材であることが好ましく、前記止着テープと繰り返し係合可能な部材であることがより好ましい。
【００１７】
フロンタルテープと止着テープとの接合においては、例えば、面ファスナーの雄部材（フック材）と雌部材（ループ材）との組み合わせや、粘着剤と再剥離可能なフィルムとの組み合わせが利用できる。例えば、フロンタルテープに面ファスナーの雌部材が設けられ、止着テープに面ファスナーの雄部材が設けられてもよく、フロンタルテープに面ファスナーの雄部材が設けられ、止着テープに面ファスナーの雌部材が設けられてもよい。また、フロンタルテープに再剥離可能なフィルムが設けられ、止着テープに粘着剤層が設けられてもよい。
【００１８】
フロンタルテープは、使い捨ておむつ本体の外面側に接合される。フロンタルテープの使い捨ておむつ本体への接合箇所としては、使い捨ておむつ本体の後背部または前腹部が示される。フロンタルテープが使い捨ておむつ本体の後背部に接合される場合は、止着テープが使い捨ておむつ本体の前腹部に取り付けられることが好ましい。フロンタルテープが使い捨ておむつ本体の前腹部に接合される場合は、止着テープが使い捨ておむつ本体の後背部に取り付けられることが好ましい。
【００１９】
フロンタルテープと使い捨ておむつ本体との接合箇所は、使い捨ておむつの幅方向および長手方向に沿って断続的に設けられることが好ましい。なお、使い捨ておむつの長手方向とは、使い捨ておむつの前腹部から後背部にかけての方向を意味し、使い捨ておむつの幅方向とは、使い捨ておむつと同一面上にあり、前記長手方向に直交する方向を意味する。
【００２０】
フロンタルテープと使い捨ておむつ本体との接合箇所が、使い捨ておむつの幅方向に沿って断続的に設けられるとは、フロンタルテープと使い捨ておむつ本体との接合箇所が、使い捨ておむつの幅方向に沿って、存在している部分と存在していない部分とがあることを意味する。また、フロンタルテープと使い捨ておむつ本体との接合箇所が、使い捨ておむつの長手方向に沿って断続的に設けられるとは、フロンタルテープと使い捨ておむつ本体とが、使い捨ておむつの長手方向に沿って、接合されている部分と接合されていない部分とが存在することを意味する。
【００２１】
本発明の使い捨ておむつは、フロンタルテープと使い捨ておむつ本体との接合箇所が、使い捨ておむつの幅方向および長手方向に沿って断続的に設けられることにより、フロンタルテープと使い捨ておむつ本体との間に連通する通気道が形成されている。なお、通気道とは、気体の通り道を意味し、通気道が連通しているとは、通気道が外部に通じていることを意味する。従って、本発明の使い捨ておむつは、フロンタルテープと使い捨ておむつ本体との接合箇所が、使い捨ておむつの幅方向および長手方向に沿って断続的に設けられることにより、隣接した接合箇所の間に通気道が形成されている。その結果、外部に通じる気体の通り道が形成されている。本発明では、フロンタルテープと使い捨ておむつ本体との間に連通する通気道が形成されるため、おむつ内部の水蒸気が、通気道を通って外部に排出されやすくなる。その結果、おむつ内部から外部への水蒸気の透過性が改善され、おむつ着用の際のおむつ内部の湿度上昇が効果的に抑えられ、着用中の肌のかゆみや、カブレなどの肌荒れを防止しやすくなる。
【００２２】
本発明の使い捨ておむつは、フロンタルテープと使い捨ておむつ本体との間に通気道が多方向に形成されるため、例えば、一方向にのみ通気道が形成される場合と比べ、水蒸気の排出効果が大きく改善される。例えば、一方向にのみ通気道が形成される場合、何らかの原因で通気道が詰まったときには当該通気道を含む部分では水蒸気が外部に排出されなくなる。しかし、本発明のように、通気道が多方向に形成される場合は、フロンタルテープと使い捨ておむつ本体との間のどの部分においても複数の通気道が形成されているため、たとえ通気道の１つが詰まったとしても、他の通気道を通って水蒸気が外部に排出される。
【００２３】
図１（ａ）には、本発明の使い捨ておむつにおけるフロンタルテープと使い捨ておむつ本体との接合箇所の接合パターンを示す。また、図１（ｂ）は、図１（ａ）のＡ−Ａ断面図を表し、図１（ｃ）は、図１（ａ）のＢ−Ｂ断面図を表す。図１（ａ）では、矢印ｘを使い捨ておむつの幅方向とし、矢印ｙを使い捨ておむつの長手方向を表す。
【００２４】
図１では、フロンタルテープ１０と使い捨ておむつ本体２との接合箇所１１が、使い捨ておむつの長手方向ｙに沿って断続的な線状パターンで設けられ、接合箇所１１が、使い捨ておむつの幅方向ｘおよび長手方向ｙに沿って断続的に設けられている。
【００２５】
使い捨ておむつの幅方向のＡ−Ａ断面では、フロンタルテープ１０と使い捨ておむつ本体２とが接合されている部分（接合箇所１１）と、接合されていない部分とが存在する。しかしながら、幅方向の他の断面においては、フロンタルテープと使い捨ておむつ本体とが全く接合されていなくてもよい。例えば、Ｂ−Ｂ断面では、フロンタルテープ１０と使い捨ておむつ本体２とが全く接合されていない。
【００２６】
図１では、接合箇所１１が使い捨ておむつの幅方向ｘおよび長手方向ｙに沿って断続的に設けられることにより、フロンタルテープ１０と使い捨ておむつ本体２との間に連通する通気道１２が形成される。具体的には、隣接する２つの線状の接合箇所１１間に、おむつ長手方向ｙに沿って通気道１２が形成され、さらに、それぞれの線状の接合箇所１１が線の長さ方向に断続的に設けられることにより、おむつ幅方向ｘに沿って通気道１２が形成される。通気道１２は、直線状に形成されてもよく、蛇行状やジグザグ状に形成されてもよい。図１の接合パターンによれば、後記するように、フロンタルテープ１０と使い捨ておむつ本体２とを接触式のコーター（塗工機）を用いて接着剤により接合する際、接合パターンを容易に製造できるようになる。図１のように、線状の接合箇所１１の断続パターンがおむつ幅方向ｘに沿って整列している場合、各線の塗工幅と隣接する線どうしの幅方向の間隔とを決めておき、おむつ長手方向ｙに、おむつ幅方向ｘに揃った断続パターンの一群ごとに接着剤の塗工のオン・オフを繰り返すことで、接合パターンを製造することができる。
【００２７】
なお、図１（ａ）では、理解しやすいように、接合箇所１１がフロンタルテープ１０の表面に可視化されて示されているが、実際は、接合箇所１１はフロンタルテープ１０により隠されて外からは見えない。
【００２８】
図２には、フロンタルテープと使い捨ておむつ本体との接合箇所により形成される接合パターンの他の例を示す。いずれも、フロンタルテープと使い捨ておむつ本体との接合箇所が、使い捨ておむつの幅方向および長手方向に沿って断続的に設けられることにより、フロンタルテープと使い捨ておむつ本体との間に連通する通気道が形成されている。図２には、使い捨ておむつの幅方向を示す矢印ｘと、使い捨ておむつの長手方向を示す矢印ｙとを、併記している。
【００２９】
図２（ａ）では、接合パターンとして、使い捨ておむつの幅方向ｘに沿った断続的な線状パターンが形成されている。その結果、隣接する線の間におむつ幅方向ｘの通気道が形成され、それぞれの線が断続的に設けられることによりおむつ長手方向ｙの通気道が形成される。図１の接合パターンと比べ、図２（ａ）の接合パターンは幅方向ｘに延びているため、フロンタルテープが幅方向ｘに剥がれにくくなっている。図２（ａ）の接合パターンでは、止着テープ等をフロンタルテープから剥離する際に幅方向ｘに引っ張る力が作用しても、フロンタルテープが使い捨ておむつ本体から剥がれにくくなる。
【００３０】
図２（ｂ）では、接合パターンとして、おむつの幅方向ｘおよび長手方向ｙに沿った断続的な線状パターンが形成されている。図２（ｂ）においても、おむつの幅方向ｘと長手方向ｙの両方に、通気道が形成されている。図２（ｂ）の接合パターンによれば、使い捨ておむつの長手方向ｙにも幅方向ｘにもフロンタルテープが剥がれにくくなり、水蒸気透過性を確保しつつ、さらに剥がれにくさも確保できる。
【００３１】
図１および図２（ａ），（ｂ）には、接合パターンとして、複数の線状パターンが、互いに揃っている実施態様を示したが、隣接する線状パターンが互いに異なっていてもよい。このような接合パターンの例を図２（ｃ）〜（ｅ）に示す。
【００３２】
図２（ｃ）では、接合パターンとして、使い捨ておむつの長手方向ｙに沿った断続的な線状パターンが形成され、隣接する線どうしの断続パターンが互い違いになるように設けられている。図２（ｃ）では、おむつ幅方向ｘの通気道は、蛇行状に形成されている。
【００３３】
図２（ｄ），（ｅ）では、接合パターンとして、いずれもおむつの幅方向ｘおよび長手方向ｙに沿った断続的な線状パターンが形成され、隣接する線どうしの断続パターンが互い違いになるように設けられている。図２（ｄ），（ｅ）では、おむつの幅方向ｘおよび長手方向ｙの通気道は、いずれも蛇行状に形成されている。
【００３４】
また、図２（ｆ）に示すように、複数の円が縦横に並ぶように接合パターンが形成されても構わない。この場合は、どの方向にも剥がれにくくなり、水蒸気透過性を確保しつつ、さらに剥がれにくさも確保できるというメリットがある。
【００３５】
図１および図２（ａ）〜（ｆ）に例示した接合パターンは、単独で用いても構わないし、組み合わせて用いても構わない。
【００３６】
フロンタルテープを、使い捨ておむつ本体の外面側に、使い捨ておむつの幅方向および長手方向に沿って断続的に接合する方法としては、例えば、接着剤を所定のパターンでフロンタルテープに塗工することにより、フロンタルテープと使い捨ておむつ本体とを接合する方法、フロンタルテープと使い捨ておむつ本体とに、所定のパターンが形成された熱せられた金型を押し当てることにより、フロンタルテープと使い捨ておむつ本体とを熱接着で接合する方法等が示される。
【００３７】
前記例示した方法のうち、接着剤で接合する方法は、より簡便にフロンタルテープと使い捨ておむつ本体とを接合することができるため、好ましく用いられる。この場合、接着剤を所定のパターンでフロンタルテープに塗工するのに、接触式のコーター（塗工機）を用いることが好ましい。接触式のコーターを用いることにより、任意の塗工パターンで接着剤を塗工しやすくなる。
【００３８】
接触式のコーターを用いる場合は、接着剤の塗工パターンとしては、断続的な線状パターンが生産効率上好ましい。断続的な線状パターンで接着剤を塗工するには、例えば、複数の接着剤吐出ノズルが設けられたコーターにフロンタルテープを接触させて移動させながら、接着剤を断続的に吐出すればよい。この場合、本発明の使い捨ておむつとしては、フロンタルテープと使い捨ておむつ本体との接合箇所が、使い捨ておむつの幅方向および／または長手方向に沿った断続的な線状パターンで設けられていることが好ましく、使い捨ておむつの幅方向または長手方向に沿った断続的な線状パターンで設けられていることがより好ましい。さらに、使い捨ておむつの幅方向または長手方向に沿った複数の断続的な線状パターンが互いに揃っていることが、より好ましい。
【００３９】
フロンタルテープと使い捨ておむつ本体との接合箇所が、使い捨ておむつの幅方向および／または長手方向に沿った断続的な線状パターンで設けられている場合、それぞれの線の幅Ｓは０．５ｍｍ〜５０．０ｍｍであることが好ましく、断続的に設けられた１本の線の長さＴは０．５ｍｍ〜２００．０ｍｍであることが好ましく、隣接する線どうしの間隔Ｕは０．５ｍｍ〜５０．０ｍｍであることが好ましく、線の長さ方向の断続間隔Ｖは５．０ｍｍ〜５０．０ｍｍであることが好ましい。前記線状パターンで接合されることで、使い捨ておむつの幅方向と長手方向とに、通気道が好適に設けやすくなる。なお、符号Ｓ〜Ｖの意味については、図１にも示されている。
【００４０】
フロンタルテープと使い捨ておむつ本体とを接着剤で接合する場合、接着剤の目付は、５．０ｇ／ｍ2〜５０．０ｇ／ｍ2であることが好ましい。接着剤の目付が５．０ｇ／ｍ2以上であれば、フロンタルテープを使い捨ておむつ本体に堅固に接着しやすくなり、接着剤の目付が５０．０ｇ／ｍ2以下であれば、通気道を十分に確保しやすくなる。
【００４１】
フロンタルテープへ接着剤を塗工する場合、フロンタルテープの少なくとも一組の相対する両端には接着剤が塗工されないことが好ましい。この場合、フロンタルテープと使い捨ておむつ本体とは、少なくとも一組の相対する両端では接合されていないこととなる。少なくとも一組の相対する両端に接着剤が塗工されないことにより、接着剤がフロンタルテープからはみ出て、製造ラインやフロンタルテープが汚れることを防ぎやすくなる。
【００４２】
次に、本発明の使い捨ておむつの各部材の材質について説明する。使い捨ておむつ本体を構成する積層体の最外面に位置する液不透過性のシートは、水蒸気透過性であることが好ましく、水蒸気透過性を有する材料として、例えば、プラスチックフィルムや撥水性不織布等が用いられる。前記液不透過性のシートとして、さらに好ましいのは、水蒸気透過性を有するプラスチックフィルムに不織布を接着したクロスライクバックシートである。
【００４３】
前記液不透過性のシートの水蒸気透過度は、５００ｇ／（ｍ2・２４ｈｒ）以上が好ましく、１，０００ｇ／（ｍ2・２４ｈｒ）以上がより好ましく、また１０，０００ｇ／（ｍ2・２４ｈｒ）以下が好ましく、８，０００ｇ／（ｍ2・２４ｈｒ）以下がより好ましい。水蒸気透過度が５００ｇ／（ｍ2・２４ｈｒ）以上であれば、着用時におむつ内部の水蒸気が、液不透過性のシートを通過しやすくなり、その結果、フロンタルテープと使い捨ておむつ本体との間に形成された通気道を通って、水蒸気が速やかに外部に排出されるようになる。水蒸気透過度が１０，０００ｇ／（ｍ2・２４ｈｒ）以下であれば、水蒸気が透過しすぎることにより、衣服やシーツ等を汚すおそれが少なくなる。なお、液不透過性のシートの水蒸気透過度は、液不透過性のシート単体について、ＪＩＳ  Ｚ  ０２０８に従い測定することにより求められる。
【００４４】
フロンタルテープは、不織布、織布、編布、プラスチック、またはそれらを組み合わせた複合材料等により構成される。フロンタルテープは、水蒸気透過性であることが好ましく、水蒸気透過度は、１００ｇ／（ｍ2・２４ｈｒ）〜１０，０００ｇ／（ｍ2・２４ｈｒ）であることが好ましい。フロンタルテープの水蒸気透過度が前記範囲にあれば、おむつ内部の水蒸気が通気道を通って外部へ排出されるとともに、フロンタルテープを通過して外部に容易に排出されるようになる。なお、フロンタルテープの水蒸気透過度は、フロンタルテープ単体について、ＪＩＳ  Ｚ  ０２０８に従い測定することにより求められる。
【００４５】
止着テープは、不織布、織布、編布、プラスチック、または不織布とプラスチックフィルムとを積層した複合材料等からなるテープ基材に、面ファスナーの雄部材、雌部材、または粘着剤層等が設けられたものが好ましい。
【００４６】
使い捨ておむつの様々な構成部材を接合するための接着剤としては、ポリオレフィン系、ゴム系、酢酸ビニル系等のホットメルト接着剤を適宜選択して使用することができる。特に、フロンタルテープの接合に用いる接着剤については、止着状態の時に剪断方向に応力がかかるため、ゴム系のホットメルト接着剤を用いることが好ましい。また、接着剤の代わりに、熱接着や超音波接着を用いてもよい。
【００４７】
本発明の使い捨ておむつを着用するには、使い捨ておむつの前腹部、股部、後背部とを、それぞれ着用者の腹部、股部、尻部とにあてがい、例えば、後背部の左側端部と右側端部とに取り付けられた止着テープを、前腹部に設けられたフロンタルテープと係合させたり、前腹部の左側端部と右側端部とに取り付けられた止着テープを、後背部に設けられたフロンタルテープと係合させたりすることにより着用することができる。
【００４８】
本発明の使い捨ておむつの一例について、図３および図４を参照して説明する。図３は、本発明の使い捨ておむつの一例を表し、図４は、図３のＣ−Ｃ断面図を表している。図３および図４では、矢印ｘを幅方向（横方向）とし、矢印ｙを長手方向（縦方向）と定義付けている。また、矢印ｘ，ｙにより形成される面に対して垂直方向を上下方向（厚み方向）ｚと定義付ける。
【００４９】
使い捨ておむつ１は、使い捨ておむつ本体２の外面側にフロンタルテープ１０を接合してなる。使い捨ておむつ本体２は、前腹部Ｐと後背部Ｑ、これらの間に位置する股部Ｒとからなる。股部Ｒには、着用者の脚を通しやすくするように、レッグ用切欠部９が形成されている。
【００５０】
使い捨ておむつ本体２は、液透過性のトップシート３と、液不透過性のバックシート４と、これらのシートの間に挟み込まれた吸収性コア５とからなる積層体で構成されている。前記積層体は、液不透過性のバックシート２を最外面に有する。吸収性コア５は、股部Ｒを中心に前腹部Ｐから後背部Ｑにかけて延在している。トップシート３は、着用者の股部の肌に面するように配置され、液透過性の不織布により構成され、尿等の排泄物を透過する。トップシート３を透過した排泄物は、吸収性コア５により収容される。バックシート４は、排泄物が外部へ漏れるのを防ぎ、衣服等が汚れるのを防ぐ。
【００５１】
図４では、使い捨ておむつ本体２の前腹部Ｐに、フロンタルテープ１０が使い捨ておむつ本体２の外面側（上下方向のｚ２側）に接合されている。フロンタルテープ１０には、面ファスナーの雌部材が設けられている。図３および図４では、フロンタルテープ１０はバックシート４の外面側（上下方向のｚ２側）に接合されている。フロンタルテープ１０と使い捨ておむつ本体２（バックシート４）との接合箇所１１は、使い捨ておむつの幅方向に沿って断続的に設けられている。
【００５２】
使い捨ておむつ本体２の後背部Ｑの右側端部１７Ｒと左側端部１７Ｌには、幅方向ｘの外方へ延出する一対の止着テープ７が接合され、止着テープ７には面ファスナーの雄部材８が設けられている。なお、図には示されていないが、止着テープ７は使い捨ておむつ本体２の前腹部Ｐの右側端部１６Ｒと左側端部１６Ｌに接合されていてもよく、この場合、フロンタルテープ１０は使い捨ておむつ本体２の後背部Ｑに接合される。
【００５３】
トップシート３には、長手方向ｙに延在したサイドシート６が、使い捨ておむつ本体２の幅方向ｘの左右側端部に設けられている。トップシート３とサイドシート６とは、サイドシート固定部２０で接合されている。サイドシート６には、幅方向ｘの内方端部に立体用弾性部材１３が配されている。サイドシート６は、液不透過性のプラスチックフィルムや撥水性不織布等により構成されることが好ましく、撥水性の不織布により構成されることがより好ましい。
【００５４】
使い捨ておむつ１の着用時には、立体用弾性部材１３の収縮力により、サイドシート６の幅方向ｘの内方部分が、股部Ｒにおいて、トップシート３の上方、すなわち着用者の肌に向かって立ち上がる。これにより、尿等の排泄物の幅方向ｘの外方への漏れが防止される。なお、図４に示すように、サイドシート６は、使い捨ておむつ本体２の長手方向ｙの縁部１９では、トップシート３上に接合され固定されており、これにより尿等の排泄物の長手方向ｙの外方への漏れが防止される。
【００５５】
使い捨ておむつ本体２の股部Ｒの左右側端部１８には、レッグ用弾性部材１４が伸張状態で挟まれて接合されている。レッグ用弾性部材１４の収縮力により、着用者の脚周りに沿ったレッグギャザーが形成され、股部からの尿等の排泄物の漏れが防止される。
【００５６】
使い捨ておむつ本体２の長手方向ｙの縁部１９には、ウェスト用弾性部材１５が伸張状態で挟まれて接合されている。ウェスト用弾性部材１５の収縮力により、着用者の胴周りに沿ったウェストギャザーが形成され、背中側や腹部側からの尿等の排泄物の漏れが防止される。
【００５７】
立体用弾性部材１３、レッグ用弾性部材１４、ウェスト用弾性部材１５としては、ポリウレタン糸、ポリウレタンフィルム、天然ゴム等の通常使い捨ておむつに用いられる弾性伸縮材料が用いることができる。これらの弾性伸縮材料は、伸張状態で、ホットメルト接着剤等の接合手段により、シート上に添設される。好ましくは、繊度１００〜２，５００デシテックスのポリウレタン糸を、倍率１．１〜５．０倍に伸張して添設する。接合手段としては、ゴム系のホットメルト接着剤を用いることが好ましい。
【００５８】
本発明の使い捨ておむつは、止着テープ７の雄部材８をフロンタルテープ１０に留めることによりおむつを着用状態にすることができる。
【符号の説明】
【００５９】
１：  使い捨ておむつ
２：  使い捨ておむつ本体
３：  トップシート
４：  バックシート
５：  吸収性コア
６：  サイドシート
７：  止着テープ
１０：  フロンタルテープ
１１：  接合部
１２：  通気道
【図１】
2012210482.tif 000003
【図２】
2012210482.tif 000004
【図３】
2012210482.tif 000005
【図４】
2012210482.tif 000006